(57)【要約】【課題】高価な機器を不要として安価な構成で照明を確実に制御できる照明制御装置を提供する。【解決手段】照明制御装置１０は、熱線センサ１４の出力に基づいてスイッチ要素１１を制御して照明負荷ＬＡを制御する信号処理部１３と、周囲照度を検出する明るさセンサ１５と、基準照度を設定可能な明るさセンサ調整部１７と、を備え、信号処理部１３は、明るさセンサ１５による検出照度が基準照度を超えると、熱線センサ１４の出力に関らず、スイッチ要素１１をオフし、熱線センサ１４の検知時における明るさセンサ１５の値と、熱線センサ１４が検知する一定時間前の明るさセンサ１５の値とを比較することにより、照明負荷ＬＡの点灯状態を制御する。【選択図】図１
2013062126.tif 000002
【特許請求の範囲】
【請求項１】
照明負荷と商用電源との間に挿入されるスイッチ要素と、
人体から放射される熱線を検出する熱線センサと、
前記熱線センサの出力に基づいて前記スイッチ要素を制御して前記照明負荷を制御する信号処理部と、
周囲照度を検出する明るさセンサと、
基準照度を設定可能な明るさセンサ調整部と、を備え、
前記信号処理部は、前記明るさセンサによる検出照度が前記基準照度を超えると、前記熱線センサの出力に関らず、前記スイッチ要素をオフし、前記熱線センサの検知時における前記明るさセンサの値と、前記熱線センサが検知する一定時間前の前記明るさセンサの値とを比較することにより、前記照明負荷の点灯状態を制御する照明制御装置。
【請求項２】
請求項１に記載の照明制御装置において、
前記信号処理部は、
前記熱線センサの検知時における前記明るさセンサの値が前記基準照度を超えていて、一定時間前の前記明るさセンサの値が前記基準照度を超えている場合、前記照明負荷を点灯させず、
前記熱線センサの検知時における前記明るさセンサの値が前記基準照度を下回っていて、一定時間前の前記明るさセンサの値が前記基準照度を超えている場合、前記照明負荷を点灯させ、
前記熱線センサの検知時における前記明るさセンサの値が前記基準照度を超えていて、一定時間前の前記明るさセンサの値が前記基準照度を下回っている場合、前記照明負荷を全点灯させ、
前記熱線センサの検知時における前記明るさセンサの値が前記基準照度を下回っていて、一定時間前の前記明るさセンサの値が前記基準照度を下回っている場合、前記照明負荷を調光点灯させる照明制御装置。
【請求項３】
請求項１に記載の照明制御装置において、
前記信号処理部は、
前記熱線センサの検知時における前記明るさセンサの値が前記基準照度を超えていて、一定時間前の前記明るさセンサの値が前記基準照度を超えている場合、前記照明負荷を点灯させず、
前記熱線センサの検知時における前記明るさセンサの値が前記基準照度を下回っていて、一定時間前の前記明るさセンサの値が前記基準照度を超えている場合、前記照明負荷を点灯させず、
前記熱線センサの検知時における前記明るさセンサの値が前記基準照度を超えていて、一定時間前の前記明るさセンサの値が前記基準照度を下回っている場合、前記照明負荷を全点灯させ、
前記熱線センサの検知時における前記明るさセンサの値が前記基準照度を下回っていて、一定時間前の前記明るさセンサの値が前記基準照度を下回っている場合、前記照明負荷を調光点灯させる照明制御装置。
【請求項４】
請求項２または請求項３に記載の照明制御装置において、
前記信号処理部は、前記調光点灯させる際に、調光レベルを複数段に変更する照明制御装置。
【発明の詳細な説明】
【技術分野】
【０００１】
本発明は、人体から放射される熱線を検出することによって照明を制御する照明制御装置に関する。
【背景技術】
【０００２】
従来より、深夜モード時間設定部の操作部が、深夜モード時間帯の開始時刻および時間を設定することにより、信号処理部が、深夜モード時間帯に照明負荷を調光点灯させる照明制御装置が知られている（例えば、特許文献１参照）。
特許文献１は、深夜モード時間帯を設定しておくことにより、その設定時間帯に人が検知されたときに、照明負荷が調光点灯されるので、照明負荷が定格点灯される場合に比べて人が眩しく感じにくくなる。
【先行技術文献】
【特許文献】
【０００３】
【特許文献１】特開２００５−１８３３１９号公報（図５、請求項２）
【発明の概要】
【発明が解決しようとする課題】
【０００４】
特許文献１は、熱線センサと、明るさセンサとが信号処理部に接続され、信号処理部では、熱線センサと明るさセンサとの出力に基づいて照明制御部および換気扇制御部に指示を与えて照明負荷および換気扇を制御する。
特許文献１は、照明負荷の動作保持時間である熱線センサにより人が検知されなくなってから照明負荷を消灯させるまでの時間を設定するための動作保持時間設定部が信号処理部に接続されている。
特許文献１は、動作保持時間設定部としては、信号処理部に１６段階の切替が可能な回転式のスイッチからなる保持時間調整スイッチが接続されている。
特許文献１は、照明制御部において、信号処理部によって発光素子と受光素子とを備えたフォトカプラが制御されることにより、トライアックが制御されて、照明負荷を調光点灯させる。
【０００５】
しかし、特許文献１は、深夜モード時間帯を設定するのに、毎日設定された時間から深夜モードを開始するために、長時間をカウントするための高価なリアルタイムクロック等の計時手段を必要とする。
また、特許文献１は、停電時にリアルタイムクロック等のＩＣ電源をバックアップするための電池および計時手段スイッチ等の設定手段を必要とする。
そして、特許文献１は、朝方に、日が昇り、徐々に明るくなってきた状態でも一定の調光レベルで点灯するために、周囲の明るさに対して照明の点灯レベルが相対的に低くなり、照明の点灯状態が分かり難い。
【０００６】
本発明は、前述した課題を解決するためになされたものであり、その目的は、高価な機器を不要として安価な構成で照明を確実に制御できる照明制御装置を提供することにある。
【課題を解決するための手段】
【０００７】
本発明に係る照明制御装置は、照明負荷と商用電源との間に挿入されるスイッチ要素と、人体から放射される熱線を検出する熱線センサと、前記熱線センサの出力に基づいて前記スイッチ要素を制御して前記照明負荷を制御する信号処理部と、周囲照度を検出する明るさセンサと、基準照度を設定可能な明るさセンサ調整部と、を備え、前記信号処理部は、前記明るさセンサによる検出照度が前記基準照度を超えると、前記熱線センサの出力に関らず、前記スイッチ要素をオフし、前記熱線センサの検知時における前記明るさセンサの値と、前記熱線センサが検知する一定時間前の前記明るさセンサの値とを比較することにより、前記照明負荷の点灯状態を制御する。
【０００８】
本発明に係る照明制御装置は、前記信号処理部は、前記熱線センサの検知時における前記明るさセンサの値が前記基準照度を超えていて、一定時間前の前記明るさセンサの値が前記基準照度を超えている場合、前記照明負荷を点灯させず、前記熱線センサの検知時における前記明るさセンサの値が前記基準照度を下回っていて、一定時間前の前記明るさセンサの値が前記基準照度を超えている場合、前記照明負荷を点灯させ、前記熱線センサの検知時における前記明るさセンサの値が前記基準照度を超えていて、一定時間前の前記明るさセンサの値が前記基準照度を下回っている場合、前記照明負荷を全点灯させ、前記熱線センサの検知時における前記明るさセンサの値が前記基準照度を下回っていて、一定時間前の前記明るさセンサの値が前記基準照度を下回っている場合、前記照明負荷を調光点灯させる。
【０００９】
本発明に係る照明制御装置は、前記信号処理部は、前記熱線センサの検知時における前記明るさセンサの値が前記基準照度を超えていて、一定時間前の前記明るさセンサの値が前記基準照度を超えている場合、前記照明負荷を点灯させず、前記熱線センサの検知時における前記明るさセンサの値が前記基準照度を下回っていて、一定時間前の前記明るさセンサの値が前記基準照度を超えている場合、前記照明負荷を点灯させず、前記熱線センサの検知時における前記明るさセンサの値が前記基準照度を超えていて、一定時間前の前記明るさセンサの値が前記基準照度を下回っている場合、前記照明負荷を全点灯させ、前記熱線センサの検知時における前記明るさセンサの値が前記基準照度を下回っていて、一定時間前の前記明るさセンサの値が前記基準照度を下回っている場合、前記照明負荷を調光点灯させる。
【００１０】
本発明に係る照明制御装置は、前記信号処理部は、前記調光点灯させる際に、調光レベルを複数段に変更する。
【発明の効果】
【００１１】
本発明に係る照明制御装置によれば、高価な機器を不要として安価な構成で照明を確実に制御できるという効果を奏する。
【図面の簡単な説明】
【００１２】
【図１】本発明に係る第１実施形態の照明制御装置の回路構成図
【図２】本発明に係る第１実施形態の照明制御装置の窓のあるトイレでの制御動作の状態説明図
【図３】本発明に係る第１実施形態の照明制御装置の窓のないトイレでの制御動作の状態説明図
【図４】本発明に係る第１実施形態の照明制御装置の制御動作を説明するフローチャート
【図５】本発明に係る第１実施形態の照明制御装置の窓のあるトイレでの変形例の制御動作の状態説明図
【図６】本発明に係る第２実施形態の照明制御装置の制御動作の状態説明図
【図７】本発明に係る第２実施形態の照明制御装置の制御動作のタイミングチャート
【図８】本発明に係る第２実施形態の照明制御装置の制御動作を説明するフローチャート
【発明を実施するための形態】
【００１３】
以下、本発明に係る複数の実施形態の照明制御装置について図面を参照して説明する。
（第１実施形態）
図１に示すように、本発明に係る第１実施形態の照明制御装置１０は、照明負荷ＬＡと商用電源ＡＣとの間に挿入されるトライアックであるスイッチ要素１１と、商用電源ＡＣの電流を整流するダイオードブリッジＤＢとを備える。
また、照明制御装置１０は、ダイオードブリッジＤＢから給電される電源回路部１２と、マイコンから構成されて電源回路部１２から給電され、スイッチ要素１１を位相制御して照明負荷ＬＡの明るさの調整を行う信号処理部１３とを備える。
【００１４】
そして、照明制御装置１０は、人体から放射される熱線を検出する熱線センサ１４と、周囲照度を検出する明るさセンサ１５と、熱線センサ１４が人を検知した際に点灯状態を維持する時間を設定する点灯保持時間設定部１６とを備える。
さらに、照明制御装置１０は、明るさセンサ１５の値により点灯する明るさ(照度)を調整する明るさセンサ調整部１７を備える。
【００１５】
信号処理部１３は、明るさセンサ１５による検出照度が基準照度を超えると、熱線センサ１４の出力に関らず、スイッチ要素１１をオフする。
そして、信号処理部１３は、熱線センサ１４の検知時における明るさセンサ１５の値と、熱線センサ１４が検知する一定時間前である１０秒前の明るさセンサ１５の値とを比較することにより、照明負荷ＬＡの点灯状態を制御する。
なお、信号処理部１３は、１０秒前に限らず、任意の一定時間前の明るさセンサ１５の値を用いることもできる。
【００１６】
次に、照明制御装置１０の制御動作について、図２の状態図および図３の状態図を参照して図４のフローチャートを用いて説明する。
図２に示す状態Ａにおいて、昼間に、窓ＷのあるトイレＢＲ等の閉空間に人Ｈが侵入してくる場合、トイレＢＲに人Ｈが侵入してくる１０秒前にトイレＢＲ内は明るく、人ＨがドアＸを開けてトイレＢＲ内に侵入してきたときもトイレＢＲ内は明るい。
【００１７】
すなわち、図４において、熱線センサ１４により人Ｈが検知され、消灯中であり、１０秒前の明るさセンサ１５の値が基準照度を超えており、現在の明るさセンサ１５の値が基準照度を超えている。
そのため、照明負荷ＬＡを消灯状態とする（Ｓ１０１→Ｓ１０２→Ｓ１０３→Ｓ１０４→Ｓ１０５）。
【００１８】
図２に示す状態Ｂにおいて、日が暮れる瞬間において、窓ＷのあるトイレＢＲに続く廊下Ｐ等の照明が消灯されていて、人ＨがドアＸを開けてトイレＢＲ内に侵入してきた場合、トイレＢＲに人Ｈが侵入してくる１０秒前にトイレＢＲ内は明るい。
そして、周囲は明るい状態から暗い状態になりつつあるために、人ＨがドアＸを開けてトイレＢＲ内に侵入してきたときにトイレＢＲ内は暗い。
【００１９】
すなわち、図４において、熱線センサ１４により人Ｈが検知され、消灯中であり、１０秒前の明るさセンサ１５の値が基準照度を超えており、現在の明るさセンサ１５の値が基準照度を下回っている。
そのため、照明負荷ＬＡを点灯させ、点灯保持時間設定部１６により保持時間が設定される（Ｓ１０１→Ｓ１０２→Ｓ１０３→Ｓ１０４→Ｓ１０６→Ｓ１０７）。
【００２０】
図３に示す状態Ｃにおいて、夜間に、廊下Ｐの照明が点灯されていて、人ＨがドアＸを開けて窓ＷのないトイレＢＲ内に侵入してきた場合、トイレＢＲに人Ｈが侵入してくる１０秒前にトイレＢＲ内は暗い。
そして、人ＨがドアＸを開けてトイレＢＲ内に侵入してきたときにトイレＢＲ内が明るくなる。
【００２１】
すなわち、図４において、熱線センサ１４により人Ｈが検知され、消灯中であり、１０秒前の明るさセンサ１５の値が基準照度を下回っており、現在の明るさセンサ１５の値が基準照度を超えている。
そのため、照明負荷ＬＡを全点灯させ、点灯保持時間設定部１６により保持時間が設定される（Ｓ１０１→Ｓ１０２→Ｓ１０３→Ｓ１０８→Ｓ１０９→Ｓ１０７）。
【００２２】
図３に示す状態Ｄにおいて、夜間に、睡眠中の人ＨがトイレＢＲに行きたくなった場合、周囲が暗く、目が暗さに慣れているために、暗いままで人ＨがドアＸを開けて窓ＷのないトイレＢＲ内に侵入する。
この場合、トイレＢＲに人Ｈが侵入してくる１０秒前にトイレＢＲ内は暗く、人ＨがドアＸを開けてトイレＢＲ内に侵入してきたときにトイレＢＲ内が暗い。
【００２３】
すなわち、図４において、熱線センサ１４により人Ｈが検知され、消灯中であり、１０秒前の明るさセンサ１５の値が基準照度を下回っており、現在の明るさセンサ１５の値が基準照度を下回っている。
そのため、人Ｈの目が暗さに慣れているので、照明負荷ＬＡを調光点灯させ、点灯保持時間設定部１６により保持時間が設定される（Ｓ１０１→Ｓ１０２→Ｓ１０３→Ｓ１０８→Ｓ１１０→Ｓ１０７）。
なお、点灯保持時間設定部１６は、人Ｈがいなくなってから、設定された保持時間がタイムアップしたか否かを判別するルーチンを繰り返し実行する（Ｓ１０１→Ｓ１１１）。
【００２４】
図３に示す状態Ｃと同様に、夜間に、廊下Ｐの照明が点灯されていて、人Ｈが起きていて活動している時間帯では、人Ｈの目は明るさに慣れている。
そして、人ＨがドアＸを開けて窓ＷのないトイレＢＲ内に侵入してきた場合、トイレＢＲに人Ｈが侵入してくる１０秒前にトイレＢＲ内は暗く、人ＨがドアＸを開けてトイレＢＲ内に侵入してきたときにトイレＢＲ内が明るくなる。
【００２５】
すなわち、図４において、熱線センサ１４により人Ｈが検知され、消灯中であり、１０秒前の明るさセンサ１５の値が基準照度を下回っており、現在の明るさセンサ１５の値が基準照度を超えている。
そのため、照明負荷ＬＡを全点灯させ、点灯保持時間設定部１６により保持時間が設定される（Ｓ１０１→Ｓ１０２→Ｓ１０３→Ｓ１０８→Ｓ１０９→Ｓ１０７）。
【００２６】
図３に示す状態Ｄと同様に、夜間に、睡眠中の人ＨがトイレＢＲに行きたくなった場合、周囲が暗く、目が暗さに慣れているために、暗いままで人ＨがドアＸを開けて窓ＷのないトイレＢＲ内に侵入する。
この場合、トイレＢＲに人Ｈが侵入してくる１０秒前にトイレＢＲ内は暗く、人ＨがドアＸを開けてトイレＢＲ内に侵入してきたときにトイレＢＲ内が暗い。
【００２７】
すなわち、図４において、熱線センサ１４により人Ｈが検知され、消灯中であり、１０秒前の明るさセンサ１５の値が基準照度を下回っており、現在の明るさセンサ１５の値が基準照度を下回っている。
そのため、人Ｈの目が暗さに慣れているので、照明負荷ＬＡを調光点灯させ、点灯保持時間設定部１６により保持時間が設定される（Ｓ１０１→Ｓ１０２→Ｓ１０３→Ｓ１０８→Ｓ１１０→Ｓ１０７）。
【００２８】
次に、照明制御装置１０の変形例の制御動作について説明する。
図５に示すように、状態Ｅにおいて、日が暮れる瞬間において、トイレＢＲに続く廊下Ｐ等の照明が消灯されていて、人ＨがドアＸを開けてトイレＢＲ内に侵入してきた場合、トイレＢＲに人Ｈが侵入してくる１０秒前にトイレＢＲ内は明るい。
そして、周囲は明るい状態から暗い状態になりつつあるために、人ＨがドアＸを開けてトイレＢＲ内に侵入してきたときにトイレＢＲ内は暗い。
【００２９】
すなわち、熱線センサ１４により人Ｈが検知され、消灯中であり、１０秒前の明るさセンサ１５の値が基準照度を超えており、現在の明るさセンサ１５の値が基準照度を下回っている。
そのため、照明負荷ＬＡを消灯させ、点灯保持時間設定部１６により保持時間が設定される。
【００３０】
以上、説明した本発明に係る第１実施形態の照明制御装置１０によれば、従来のもののような高価な計時手段および設定手段を必要としない。
従って、照明制御装置１０によれば、高価な機器を不要として安価な構成で照明を確実に制御できる。
【００３１】
また、照明制御装置１０によれば、従来のものように、朝方に、日が昇り、徐々に明るくなってきた状態でも一定の調光レベルで点灯しない。
従って、照明制御装置１０によれば、周囲の明るさに対して照明の点灯レベルが相対的に低くならずに、照明の点灯状態が分かり易く制御できる。
【００３２】
そして、照明制御装置１０によれば、周囲が明るい状態から暗い状態になりつつあるような稀な場合においても、周囲の明るさに対して照明の点灯レベルが相対的に低くならずに、照明の点灯状態が分かり易く制御できる。
【００３３】
（第２実施形態）
次に、本発明に係る第２実施形態の照明制御装置について説明する。
なお、以下の第２実施形態において、前述した第１実施形態と重複する構成要素や機能的に同様な構成要素については、図中に同一符号あるいは相当符号を付することによって説明を簡略化あるいは省略する。
【００３４】
図６に示すように、本発明に係る第２実施形態の照明制御装置２０は、信号処理部１３が、調光点灯させる際に、基準照度に代えて調光レベルを複数段に変更する。
窓ＷのあるトイレＢＲにおいて、深夜に廊下Ｐの照明が消灯した状態で、人ＨがトイレＢＲのドアＸを開けた際に人Ｈが検知される。
【００３５】
図７に示すように、１０秒前の明るさセンサ１５の値と熱線センサ１４が人Ｈを検知した時の明るさセンサ１５の値とが比較される。
そして、１０秒前の明るさセンサ１５の値と人Ｈを検知した時の明るさセンサ１５の値とが、両方とも暗の状態の時、すなわち、深夜モードであるとき、人Ｈを検知したら調光点灯を行う。
この深夜モード時に、朝方、トイレＢＲの窓Ｗから日が徐々に入ってくると、明るさセンサ１５の値が徐々に上がってくる。
【００３６】
このとき、信号処理部１３は、明るさセンサ１５の値が閾値Ａ１を超えた場合に、第１調光率Ａ２により調光制御を行い、明るさセンサ１５の値が閾値Ｂ１を超えた場合に、第２調光率Ｂ２により調光制御を行う。
そして、信号処理部１３は、明るさセンサ１５の値が閾値Ｃ１を超えた場合に、第３調光率Ｃ２により調光制御を行い、明るさセンサ１５の値が閾値Ｄ１を超えた場合に、第４調光率Ｄ２により調光制御を行う。
【００３７】
図８に示すように、照明制御装置２０は、深夜モードであるときに人Ｈを検知した際に、明るさセンサ１５の値が閾値Ａ１を超えた場合、例えば２０％である第１調光率Ａ２により調光制御を行う（Ｓ２０１→Ｓ２０２）。
また、照明制御装置２０は、明るさセンサ１５の値が閾値Ａ１を超えて、明るさセンサ１５の値が閾値Ｂ１を超えた場合、例えば３０％である第２調光率Ｂ２により調光制御を行う（Ｓ２０１→Ｓ２０３→Ｓ２０４）。
【００３８】
そして、照明制御装置２０は、明るさセンサ１５の値が閾値Ｂ１を超えて、明るさセンサ１５の値が閾値Ｃ１を超えた場合、例えば４０％である第３調光率Ｃ２により調光制御を行う（Ｓ２０１→Ｓ２０３→Ｓ２０５→Ｓ２０６）。
さらに、照明制御装置２０は、明るさセンサ１５の値が閾値Ｃ１を超えて、明るさセンサ１５の値が閾値Ｄ１を超えた場合、例えば５０％である第４調光率Ｄ２により調光制御を行う（Ｓ２０１→Ｓ２０３→Ｓ２０５→Ｓ２０７→Ｓ２０８）。
【００３９】
照明制御装置２０によれば、周囲の明るさに合わせて照明の調光率を複数段に上げて、周囲の明るさとの差を減らすことにより、照明が点灯していることが認識でき、安心感が得られる。
【００４０】
なお、本発明の照明制御装置において照明負荷、スイッチ要素、ダイオードブリッジ、電源回路部等は、前述した各実施形態に限定されるものでなく、適宜な変形や改良等が可能である。
【符号の説明】
【００４１】
１０，２０  照明制御装置
１１  スイッチ要素
１３  信号処理部
１４  熱線センサ
１５  明るさセンサ
１７  明るさセンサ調整部
ＡＣ  商用電源
ＬＡ  照明負荷
【図１】
2013062126.tif 000003
【図２】
2013062126.tif 000004
【図３】
2013062126.tif 000005
【図４】
2013062126.tif 000006
【図５】
2013062126.tif 000007
【図６】
2013062126.tif 000008
【図７】
2013062126.tif 000009
【図８】
2013062126.tif 000010